(57)【特許請求の範囲】
【請求項１】
上部フィルタ（５）、乾燥剤（６）および下部フィルタ（７）を積層して構成される収納物（８）が、上部および下部カバー（９；１０Ａ，１０Ｂ）間に挟まれてケーシング（１Ａ，１Ｂ）内に固定され、前記上部カバー（９）の上方でケーシング（１Ａ，１Ｂ）内に形成される上部空間（１３）に通じる冷媒供給通路（１４）と、前記下部カバー（１０Ａ，１０Ｂ）の下方でケーシング（１Ａ，１Ｂ）内に形成される下部空間（１５）に通じる冷媒排出通路（１６）とが前記ケーシング（１Ａ，１Ｂ）に設けられ、前記下部カバー（１０Ａ，１０Ｂ）の外周およびケーシング（１Ａ，１Ｂ）の内周間には、収納物（８）を上方から下方に流通した冷媒を前記下部空間（１５）に導く環状間隙（２２）が形成される空調用冷媒受液器において、前記下部カバー（１０Ａ，１０Ｂ）の外周には、前記環状間隙（２２）に連なる環状通路（２３）をケーシング（１Ａ，１Ｂ）の内面との間に形成して下方に延びる案内筒（２４Ａ，２４Ｂ）の上端が連設されることを特徴とする空調用冷媒受液器。
【発明の詳細な説明】
【０００１】
【発明の属する技術分野】
本発明は、カーエアコン等の空調装置に用いられる空調用冷媒受液器の改良に関する。
【０００２】
【従来の技術】
従来、かかる空調用冷媒受液器は、特開平１０−２３８９０６号公報等で既に知られている。
【０００３】
【発明が解決しようとする課題】
上記従来のものでは、収納物を通過した冷媒が下部空間内の冷媒液面に激しく落下して泡立ちが生じることを防止するために、収納物を下方から支持する下部カバーの外周と、ケーシングの内周との間に環状間隙を形成し、収納物を通過した冷媒がその環状間隙からケーシングの内面に沿って静かに流過させるようにしている。しかるに上記従来のものでは、下部カバーが単なる円形平板状に形成されており、環状間隙は該下部カバーの厚み分の長さだけ形成されるので、環状間隙を通過した冷媒の全てをケーシングの内面に沿って静かに流過させることは困難であり、一部の冷媒はケーシングの内面から内方側に飛散し、泡立ちを生じさせることがある。
【０００４】
本発明は、かかる事情に鑑みてなされたものであり、泡立ちの発生をより確実に防止し得るようにした空調用冷媒受液器を提供することを目的とする。
【０００５】
【課題を解決するための手段】
上記目的を達成するために、本発明は、上部フィルタ、乾燥剤および下部フィルタを積層して構成される収納物が、上部および下部カバー間に挟まれてケーシング内に固定され、前記上部カバーの上方でケーシング内に形成される上部空間に通じる冷媒供給通路と、前記下部カバーの下方でケーシング内に形成される下部空間に通じる冷媒排出通路とが前記ケーシングに設けられ、前記下部カバーの外周およびケーシングの内周間には、収納物を上方から下方に流通した冷媒を前記下部空間に導く環状間隙が形成される空調用冷媒受液器において、前記下部カバーの外周には、前記環状間隙に連なる環状通路をケーシングの内面との間に形成して下方に延びる案内筒の上端が連設されることを特徴とする。
【０００６】
このような構成によれば、収納物を通過した冷媒は環状間隙からケーシング内の下部空間側に流れるのであるが、環状間隙をケーシングの内周との間に形成している下部カバーの外周に、環状間隙に連なる環状通路をケーシングの内面との間に形成して下方に延びる案内筒の上端が連設されるので、環状間隙を通過した冷媒をケーシングの内面に沿って静かに流過するように、案内筒でより下方まで案内することができ、冷媒がケーシングの内面から離れて飛散することを極力抑制し、泡立ちの発生をより確実に防止することができる。
【０００７】
【発明の実施の形態】
以下、本発明の実施の形態を、添付の図面に示した本発明の実施例に基づいて説明する。
【０００８】
図１は本発明の第１実施例を示すものであり、この冷媒受液器のケーシング１は、下端を閉じた有底円筒状のケーシング主体２と、該ケーシング主体２の上端開口部を塞ぐ円盤状のヘッド３とで構成されるものであり、ヘッド３の下面に突設されたリング状の突部３ａがケーシング主体２の上端に嵌合され、ヘッド３の下端外周部とケーシング主体２の上端外周部とが相互に溶接される。しかもヘッド３は、ケーシング主体２内に同軸に配置される円筒部４を一体に有して鍛造成形される。
【０００９】
ケーシング１内の上部には、上部カバー９、上部フィルタ５、乾燥剤６、下部フィルタ７および下部カバー１０Ａが、上下に重ね合わせるようにして収納される。すなわち上部フィルタ５、乾燥剤６、下部フィルタ７は収納物８を構成するものであり、この収納物８が上、下から上部カバー９および下部カバー１０Ａで挟まれる。
【００１０】
上部カバー９は、多数のパンチング孔１１，１１…を有して平板状に形成されており、ケーシング主体２に外周を嵌合せしめるとともに円筒部４を内周部に嵌合せしめるようにして、ヘッド３の突部３ａに当接される。また収納物８は、その外周をケーシング主体２に嵌合せしめるとともに円筒部４を内周部に嵌合せしめるようにして、前記下部カバー１０Ａの下面に当接される。さらに下部カバー１０Ａは、その内周を下向きに折り曲げることにより形成されるフランジ部１２を有して平板状に形成されており、フランジ部１２に円筒部４を嵌合せしめた下部カバー１０Ａが前記収納物８の下面に当接する位置で、前記フランジ部１２が円筒部４にかしめ結合される。これにより、ヘッド３の突部３ａに当接した上部カバー９と、円筒部４にかしめ固定された下部カバー１０Ａとの間に収納物８が挟持されることになる。
【００１１】
上部カバー９の上方でケーシング１内には上部空間１３が形成され、この上部空間１３に冷媒を供給するための冷媒供給通路１４がヘッド３に設けられ、この冷媒供給通路１４には、空調装置のコンデンサに接続される。而してコンデンサから冷媒供給通路１４を経て上部空間１３に導入された冷媒は上部カバー９のパンチング孔１１，１１…を流通して収納物８側に流れる。
【００１２】
また下部カバー１０の下方でケーシング１内には下部空間１５が形成されており、該下部空間１５に通じる冷媒排出通路１６がケーシング１に設けられる。該冷媒排出通路１６は、ヘッド３と一体の円筒部４内に形成されて上下に延びる通路１７と、該通路１７の上部から側方に延びるようにしてヘッド３に設けられる通路１８と、該通路１８の外端寄りの部分から上方に延びるようにしてヘッド３に設けられる通路１９とから成るものであり、空調装置の膨張弁に接続される。
【００１３】
ところで前記下部空間１５内には冷媒が貯溜されるものであり、前記円筒部４の下端すなわち冷媒排出通路１６の下端は、下部空間１５内の冷媒液面Ｌよりも下方に位置するように設定される。
【００１４】
また前記円筒部４の直上でヘッド３には、シール部材２０を介してサイトグラス２１が取付けられており、このサイトグラス２１を介して下部空間１５内の冷媒の状況を目視可能である。
【００１５】
前記下部カバー１０Ａの外周と、ケーシング１におけるケーシング主体２の内周との間には環状間隙２２が形成されており、下部カバー１０Ａの外周には、環状間隙２２に連なる環状通路２３をケーシング１におけるケーシング主体２の内面との間に形成して下方に延びる案内筒２４Ａの上端が一体に連設される。しかもこの案内筒２４Ａの下端は下部空間１５内の冷媒液面Ｌに、その上方で近接した位置に設定される。
【００１６】
次にこの第１実施例の作用について説明すると、ケーシング１内の上部空間１３には、空調装置のコンデンサで液化した冷媒が冷媒供給通路１４から導入され、さらに上部カバー９のパンチング孔１１，１１…を経て収納物８側に流通する。収納物８内を下方に流通する冷媒中の塵は上部および下部フィルタ５，７で除去され、また冷媒中の水分は乾燥剤６により除去される。
【００１７】
収納物８内を下方に流通してきた冷媒は環状間隙２２を経て下部空間１５側に流過していくが、環状間隙２２をケーシング１の内周との間に形成している下部カバー１０Ａの外周に、環状間隙２２に連なる環状通路２３をケーシング主体２の内面との間に形成して下方に延びる案内筒２４Ａの上端が連設されている。したがって環状間隙２２を通過した冷媒をケーシング主体２の内面に沿って静かに流過するように、案内筒２４Ａでより下方まで案内することができ、冷媒がケーシング主体２の内面から離れて飛散することを極力抑制し、泡立ちの発生をより確実に防止することができる。
【００１８】
これにより下部空間１５内に貯溜された冷媒中への気泡の混入を極力抑えることができ、気泡の存在によって膨張弁で騒音が生じたり、冷房能力が低下したりすることを効果的に防止することができる。
【００１９】
図２は本発明の第２実施例を示すものであり、下部カバー１０Ａの外周に連設される案内筒２４Ｂの下端が、下部空間１５内に貯溜される冷媒の液面Ｌよりも下方位置に設定されていてもよい。
【００２０】
また図３で示す第３実施例のように、下部カバー１０Ｂが、上方に向かうにつれて小径となる傘形に形成されていてもよい。
【００２１】
さらに図４で示す第４実施例のように、下部空間１５内の冷媒の液面Ｌよりも下方位置にある案内筒２４Ｂの下端に、複数の切欠き２５，２５…が設けられていてもよい。この第４実施例によれば、環状通路２３の下端で生じた泡が案内筒２４Ｂ内に進入してくるのを極力防止して膨張弁側に気泡が供給されることをより確実に防止することができる。
【００２２】
図５は本発明の第５実施例を示すものであり、下部フィルタ７の外周部には下方に折曲げた折曲げ部７ａが形成されており、この折曲げ部７ａは、ケーシング１Ｂの内周および下部カバー１０Ａ間の環状間隙２２に嵌合される。
【００２３】
而してケーシング１Ｂが、上述の第１〜第４実施例と同様の構造のものである場合には、折曲げ部７ａを環状間隙２２に嵌合するのは困難であるので、ケーシング１Ｂは、ヘッド３、該ヘッド３の下端外周に連なる外筒２６、ならびに前記第１〜第４実施例の円筒部４と同一形状にしてヘッド３の下端中央部に上端が連なる内筒２７とを一体に有して鍛造成形されるケーシング主体２８と、前記外筒２６の下端を塞いで該外筒２６に溶接される蓋部材２９とで構成され、環状間隙２２および環状通路２３は、外筒２６の内周と、下部カバー１０Ａおよび案内筒２４Ａの外周との間に形成される。
【００２４】
この第５実施例によっても、上記各実施例と同様の効果を奏することができる。
【００２５】
以上、本発明の実施例を説明したが、本発明は上記実施例に限定されるものではなく、特許請求の範囲に記載された本発明を逸脱することなく種々の設計変更を行うことが可能である。
【００２６】
【発明の効果】
以上のように本発明によれば、環状間隙を通過した冷媒をケーシングの内面に沿って静かに流過するように下方まで案内することができ、冷媒がケーシングの内面から離れて飛散することを極力抑制し、泡立ちの発生をより確実に防止することができる。
【図面の簡単な説明】
【図１】第１実施例の空調用冷媒受液器の縦断面図である。
【図２】第２実施例の空調用冷媒受液器の縦断面図である。
【図３】第３実施例の空調用冷媒受液器の縦断面図である。
【図４】第４実施例の空調用冷媒受液器の縦断面図である。
【図５】第５実施例の空調用冷媒受液器の縦断面図である。
【符号の説明】
１Ａ，１Ｂ・・・ケーシング
５・・・上部フィルタ
６・・・乾燥剤
７・・・下部フィルタ
８・・・収納物
９・・・上部カバー
１０Ａ，１０Ｂ・・・下部カバー
１３・・・上部空間
１４・・・冷媒供給通路
１５・・・下部空間
１６・・・冷媒排出通路
２２・・・環状間隙
２３・・・環状通路
２４Ａ，２４Ｂ・・・案内筒
【図１】
0003894701.tif 000002
【図２】
0003894701.tif 000003
【図３】
0003894701.tif 000004
【図４】
0003894701.tif 000005
【図５】
0003894701.tif 000006